(57)【要約】【課題】ティッシュペーパーなどのいわゆる家庭紙の収納箱の上面において広範な情報掲示用スペースを確保しつつ、家庭紙の取り出し容易性を確保して家庭紙製品本来の機能が損われないようにする。【解決手段】家庭紙収納箱として、１）蓋部の剥離により形成される取出口が箱上面部の長手方向の中心を境とした片面領域内に形成されるようにする、２）取出口の幅を上記長手方向の中心に近づくにつれて徐々に広くなるようにする、３）取出口の幅が最も広がった部分に取出口の中心側に凸となるようにされた折り曲げ自在のガイドフラップを形成する、４）箱上面部に対する蓋部の接続を、上記蓋部の全周にわたっては行わず上記長手方向の中心に近い部分に非接続部が与えられるようにして行う。これにより箱上面の片面に広範な情報掲示用スペースを確保しつつ家庭紙の取り出し容易性を確保することができる。【選択図】図１
2010241463.tif 000002
【特許請求の範囲】
【請求項１】
その上面部の一部にミシン目を伴って剥離可能に接続された蓋部が形成され、該蓋部の剥離により家庭紙を取り出すための取出口が形成されるように為された略直方体状の家庭紙収納箱であって、
上記蓋部の剥離により形成される上記取出口の位置が、上記上面部の長手方向の中心を境とした片面領域内とされ、且つ、上記取出口の幅が上記長手方向の中心に近づくにつれて徐々に広くなるようにされていると共に、
上記取出口の幅が最も広がった部分に対し、上記取出口の中心側に凸となるようにされた折り曲げ自在のガイドフラップが形成され、
さらに上記上面部に対する上記蓋部の接続が、上記蓋部の全周にわたっては行われず、上記長手方向の中心に近い部分で非接続部が得られるようにして行われている
ことを特徴とする家庭紙収納箱。
【請求項２】
上記上面部のサイズが短手方向１１５mm〜１２０mm、長手方向２２０mm〜２５０mmとされる
ことを特徴とする請求項１に記載の家庭紙収納箱。
【請求項３】
上記ガイドフラップの付け根部分は、押しケイによりその断面厚が薄くされている
ことを特徴とする請求項１に記載の家庭紙収納箱。
【請求項４】
上記ガイドフラップの形状が円弧状とされていることを特徴とする請求項１に記載の家庭紙収納箱。
【請求項５】
上記上面部における上記取出口が形成されない側の片面領域内には、名刺大カードを係止するための係止部が形成されている
ことを特徴とする請求項１に記載の家庭紙収納箱。
【請求項６】
上記係止部は、上記上面部の複数箇所に略Ｔ字状の切り込みが与えられることで形成され、これら複数の略Ｔ字状の切り込みの個々において上記名刺大カードの角部を係止可能とされている
ことを特徴とする請求項５に記載の家庭紙収納箱。
【請求項７】
上記略Ｔ字状の切り込みにおけるＴ字の横棒部に相当する切り込み部分に対してアールが与えられている
ことを特徴とする請求項６に記載の家庭紙収納箱。
【発明の詳細な説明】
【技術分野】
【０００１】
本発明は、例えばティッシュペーパーなどの家庭紙を取り出し可能に収納した家庭紙製品に用いられる家庭紙収納箱に関する。
【先行技術文献】
【特許文献】
【０００２】
【特許文献１】特開２００５−３２００４８号公報
【特許文献２】実開昭４９−８９１３４号公報
【特許文献３】登録実用新案第３１１６０９８号公報
【背景技術】
【０００３】
従来より、略直方体状の箱内に複数枚のティッシュペーパーを折り畳んで収納し、ティッシュペーパーを１枚１枚継続して取り出し可能とされたティッシュペーパー製品が広く普及している。
このようなティッシュペーパー製品は、一般的に、箱の外形寸法がおよそ１２０mm(縦)×２５０mm(縦)×１１０mm(高さ)を超えない程度のものが流通している。現状では、箱のサイズのコンパクト化を図るために、高さ＝６５mm程度のものが主流となりつつある。
【０００４】
なお、このようなティッシュペーパー製品に用いられるティッシュペーパーの収納箱に関する従来技術に関しては、例えば上記の各特許文献を挙げることができる。
【発明の概要】
【発明が解決しようとする課題】
【０００５】
ここで、ティッシュペーパー製品は、その便利さや価格の安さなどからいわゆる粗品として用いられることが多い。
このような性質を利用して、ティッシュペーパー製品を広告・宣伝媒体として用いたり、企業の営業活動などに用いることが考えられる。具体的な例としては、ティッシュペーパーの収納箱外面に宣伝や営業のための情報を印刷などにより掲示した製品を無料で配布するなどといったことが挙げられる。
【０００６】
このとき、情報の掲示は、ティッシュの正常使用時に最も人目に付き易いという意味で、収納箱の上面部に対して行うことが効果的であるが、一般的なティッシュペーパー製品においては、収納箱の上面部の比較的広範囲にわたってティッシュペーパーの取出口が形成されており、情報掲示のためのスペースが思うように確保できないものとなっている。
そこで、情報掲示スペースの確保を優先して取出口の位置をシフトさせたりサイズを縮小化するなどといったことが考えられるが、これによると、ティッシュペーパーの取り出し容易性を確保することが困難となってしまい、結果として、ティッシュペーパー製品本来の機能を損なうものとなってしまい、本末転倒である。
【０００７】
本発明の課題は、ティッシュペーパーなどのいわゆる家庭紙の収納箱の上面において広範な情報掲示用スペースを確保しつつ、家庭紙の取り出し容易性を確保して家庭紙製品本来の機能が損われないようにすることである。
【課題を解決するための手段】
【０００８】
上記の課題に鑑み、本発明では家庭紙収納箱として以下のように構成することとした。
すなわち、本発明の家庭紙収納箱は、その上面部の一部にミシン目を伴って剥離可能に接続された蓋部が形成され、該蓋部の剥離により上記家庭紙を取り出すための取出口が形成されるように為された略直方体状の家庭紙収納箱であって、先ず、上記蓋部の剥離により形成される上記取出口の位置が、上記上面部の長手方向の中心を境とした片面領域内とされ、且つ、上記取出口の幅が上記長手方向の中心に近づくにつれて徐々に広くなるようにされている。
また、上記取出口の幅が最も広がった部分に対し、上記取出口の中心側に凸となるようにされた折り曲げ自在のガイドフラップが形成されている。
さらに、上記上面部に対する上記蓋部の接続が、上記蓋部の全周にわたっては行われず、上記長手方向の中心に近い部分で非接続部が得られるようにして行われているものである。
【０００９】
本発明のポイントは、大きく分けて以下の４点にある。すなわち、
１）蓋部の剥離により形成される取出口が、箱上面部の長手方向の中心を境とした片面領域内に形成される
２）取出口の幅が上記長手方向の中心に近づくにつれて徐々に広くなるようにされている
３）取出口の幅が最も広がった部分に取出口の中心側に凸となるようにされた折り曲げ自在のガイドフラップが形成されている
４）箱上面部に対する蓋部の接続が、上記蓋部の全周にわたっては行われず、上記長手方向の中心に近い部分に非接続部が与えられている
である。
上記１）のポイントにより、箱上面部の片側面には取出口（開口部）が形成されないようにでき、これによって比較的広い情報掲示スペースを箱上面部において確保できる。
但し、このように開口部を箱上面部の片面のみに形成してしまうと、収納された家庭紙の取り出しが困難となる虞がある。上記２）及び３）は、その対策のためのポイントとなっている。
具体的に、この場合は取出口が片面のみに形成されるので、家庭紙の取り出しにあたっては収納された家庭紙の主に上記情報掲示用スペースで隠れた部分を取出口から引き出すことになるため、これに伴い、この場合の家庭紙の取り出し時には、取出口における上記箱上面部の長手方向の中心に近い部分ほど多くの摩擦抵抗が生じることになる。
このため、上記２）のようにして取出口の幅を上記長手方向の中心に近づくにつれて徐々に広くすれば、家庭紙取り出し時の摩擦抵抗を効果的に低減できる。
また上記３）のガイドフラップを設けることによっては、当該ガイドフラップの折り曲げ部分により、上記取出口の縁部のうち上記長手方向の中心側となる縁部（最も多くの摩擦抵抗が生じる）を平滑な状態とすることができ、結果、家庭紙の取り出し時に生じる摩擦抵抗をこの点でも効果的に低減できる。
また、上記本発明によると、箱上面部に接続された蓋部を剥離して取出口が形成されるものとなるが、このとき蓋部を剥離した部分（つまり取出口の縁部）には、剥離に応じた細かな刃部（ミシン刃）が形成されてしまい、これが家庭紙取り出し時における家庭紙の破れを誘発する虞がある。このとき、上記のように本発明では取出口の上記長手方向の中心に近い部分ほど取り出し時の負荷が大きくなるので、上記４）のようにして、当該長手方向の中心に近い部分にて蓋部と箱上面部との非接続部分が与えられるようにされている（つまり剥離に伴う刃部が形成されないようにされている）ことで、家庭紙取り出し時における家庭紙の破れの発生を効果的に抑制して、家庭紙の取り出し容易性を向上できる。
【発明の効果】
【００１０】
上記のようにして本発明によれば、ティッシュペーパーなどのいわゆる家庭紙の収納箱の上面において広範な情報掲示用スペースを確保しつつ、家庭紙の取り出し容易性を確保して家庭紙製品本来の機能が損われないようにすることができる。
この結果、本発明の家庭紙収納箱を用いた家庭紙製品を、例えば広告・宣伝や企業の営業活動などための粗品として用いるといった場合に対応して、人目に付き易い箱上面部に比較的広い情報掲示用スペースを確保しつつ、家庭紙製品本来の機能が損なわれないように家庭紙の取り出し容易性を確保した優れた家庭紙製品を実現することができる。
【図面の簡単な説明】
【００１１】
【図１】実施の形態の家庭紙収納箱の外観斜視図である。
【図２】実施の形態の家庭紙収納箱の展開図である。
【図３】実施の形態の家庭紙収納箱の上面部のみを抽出して示した図である。
【図４】同じく実施の形態の家庭紙収納箱の上面部のみを抽出して示した図である。
【図５】家庭紙の取り出し時における家庭紙収納箱の断面図である。
【図６】家庭紙収納箱の上面部に設けられた蓋部とその周囲の構成を拡大して示した図である。
【図７】家庭紙収納箱の上面部に形成される取出口６とその周囲の構成を拡大して示した図である。
【発明を実施するための形態】
【００１２】
以下、発明を実施するための形態（以下実施の形態とする）について説明していく。
［家庭紙収納箱の全体構成]
図１は、本発明の実施の形態としての家庭紙収納箱１の外観斜視図を、また図２は家庭紙収納箱１の展開図をそれぞれ示している。
ここで「家庭紙」は、ティッシュペーパーやトイレットペーパー、キッチンペーパーなどの家庭用紙製品の資材を指すものとする。本実施の形態の場合、家庭紙収納箱１には家庭紙としてティッシュペーパーが収納される場合を例示する。
【００１３】
家庭紙収納箱１は、図２に示すような１枚のカートンブランク（ブランク状のカートン）を図１に示すような略直方体状の形状に組み立てて形成されることになる。上記カートンブランクの材料（つまり家庭紙収納箱１の材料）は、例えば板紙など紙を主体とした材料とされる。
【００１４】
家庭紙収納箱１は、大まかに分けて上面部１up、下面部１lw、右側面部１sr、左側面部１sl、前面部１f、後面部１bの６面を有する。これら各面部は長方形状とされ、[上面部１up、下面部１lw]の組、[右側面部１sr、左側面部１sl]の組、[前面部１f、後面部１b]の組は、それぞれ面積が等しいものとなっている。
この場合、各面の面積は、[上面部１up、下面部１lw]＞[右側面部１sr、左側面部１sl]＞[前面部１f、後面部１b]とされている。
【００１５】
上記上面部１upには、家庭紙収納箱１内部に収納されることになるティッシュペーパーを取り出すための取出口（取出口６）を覆うための蓋部２が接続されている。また上面部１upには、使用者による上記蓋部２の剥離を容易とするためのつめ差し４が形成されている。
また上面部１upには、後述するガイドフラップ３、カード係止部５（図中では５ａ,５ｂ,５ｃ）が形成されている。
【００１６】
図２に示すカートンブランクについて説明すると、上記上面部１upには、その長手方向辺の一方の辺には上記右側面部１srが、また他方の長手方向辺には上記左側面部１slがそれぞれ連接されている。また上記上面部１upの一方の短手方向辺には上記前面部１fが、また他方の短手方向辺には上記後面部１bがそれぞれ連接されている。
この場合、下面部１lwは、上記右側面部１srと連接されている。
【００１７】
本実施の形態の家庭紙収納箱１は、いわゆるサック式（キャラメル式）の箱状容器として形成されるものとなる。
このために、上記前面部１f、後面部１bに対しては、上記上面部１upに対して連接される辺とは逆側の辺に対して、折り曲げ可能なフラップ（差し込み用のフラップ）が連接されている。上記前面部１fに連接される差し込み用のフラップは差込用フラップ１f-f、上記後面部１bに対して連接される差し込み用のフラップは差込用フラップ１b-fとする。
また、上記右側面部１sr、左側面部１slのそれぞれの長手方向における両端部に対しても、折り曲げ可能なフラップが連接されている。図示するように右側面部１srにおける前面部１ｆが形成される方向と同方向側の端部に連接されるフラップはフラップ１sr-ff、後面部１bが形成される方向と同方向側の端部に連接されるフラップはフラップ１sr-fbとする。
同様に左側面部１slの前面部１ｆが形成される方向と同方向側の端部に連接されるフラップはフラップ１sl-ff、後面部１bが形成される方向と同方向側の端部に連接されるフラップはフラップ１sl-fbとする。
【００１８】
また、下面部１lwの上記右側面部１srと連接されていない側の辺には、折り曲げ可能なフラップ１lw-fが形成されている。このフラップ１1w-fは、左側面部１slの裏側面との接着を可能とするための接着片として機能することになる。
【００１９】
この図２に示すカートンブランクの組み立てについて説明しておく。
先ずは、右側面部１srと左側面部１slとを上面部１upとの連接部分においてそれぞれ折り曲げると共に、下面部１lwを上記右側面部１srとの連接部分において折り曲げ、下面部１lwに連接されたフラップ１lw-fを折り曲げて、当該折り曲げられたフラップ１lw-fを上記折り曲げられた状態にある左側面部１slの裏側面に対して接着することで、カートンブランクを角筒状に組み立てる。
【００２０】
このように角筒状に組み上がった状態では、右側面部１sr，左側面部１slのそれぞれのフラップ（１sr-ff,１sr-fb、及び１sl-ff,１sl-fb）、及び前面部１fと後面部１bが非折り曲げ状態となっており、開口部が形成されている。
図示による説明は省略するが、この開口部から、複数枚のティッシュペーパーＰを筒内に収納する。具体的には、薄葉状のペーパーの２枚１組を１枚のティッシュペーパーＰとして、複数枚のティッシュペーパーＰをいわゆるポップアップ方式で折り畳む（ティッシュペーパーＰ１枚１枚が継続して箱から取り出されるようにティッシュペーパーＰを１枚１枚交互に折り重ねる）。そしてこのように折り畳まれた複数枚のティッシュペーパーＰを上記開口部より収納する。
【００２１】
その上で、右側面部１sr，左側面部１slのそれぞれのフラップ（１sr-ff,１sr-fb、及び１sl-ff,１sl-fb）を折り曲げ、さらに前面部１fと差込用フラップ１f-f、及び後面部１bと差込用フラップ１b-fとを折り曲げて、角筒状に組み上がった本体の開口部を閉塞するようにして上記差込用フラップ１f-f、差込用フラップ１b-fを上記折り曲げれたフラップ１sr-ff,１sr-fb、フラップ１sl-ff,１sl-fbにそれぞれ係合するようにして差し込む。
これにより、図１に示されるような略直方体状の家庭紙収納箱１が組み立てられると共に、その内部に複数枚のティッシュペーパーＰを収納したティッシュペーパー製品が完成する。
【００２２】
[上面部の構成]
本実施の形態の家庭紙収納箱１は、その上面部１upに特徴的な構成を有する。
以下、図３〜図７を参照して上面部１upの構成について説明していく。
図３及び図４は、家庭紙収納箱１の上面部１upのみを抽出して示している。
【００２３】
先ず図３において、本実施の形態の家庭紙収納箱１においては、上面部１upにおける蓋部２の形成位置（つまり取出口６の形成位置と同じ）に特徴を有する。具体的に、蓋部２（取出口６）は、上面部１upにおける長手方向の中心ｃを境として片面側の領域内において形成される。
これにより、上面部１upにおいては、上記蓋部２（取出口６）が形成されないもう一方の片面側に対して、比較的広範な情報掲示用スペースを確保することができる。
【００２４】
本実施の形態では、このように上面部１upに形成される情報掲示用スペースに対し、名刺大カード（例えば５５mm×９１mm）を係止するためのカード係止部５を形成するものとしている。具体的にこの場合は、名刺大カードの角部を係止するための複数のカード係止部５を形成するものとしている。
より具体的には、図４の破線により示される如く、名刺大カードを横配置及び縦配置の双方の配置状態で係止可能とするために最低限必要となる、３つのカード係止部５ａ、５ｂ、５ｃを設けるものとしている。
【００２５】
図３、図４に示されるように、各カード係止部５は、上面部１upにおいて略Ｔ字状の切り込みが与えられることで形成されている。これにより、２つ１組のカード係止部５によって（この場合はカード係止部５ａ・５ｂの組、又は５ａ・５ｃの組によって）、名刺大カードのそれぞれの角部を係止することができる。
【００２６】
また本実施の形態では、各カード係止部５において、上記略Ｔ字状の切り込みにおけるＴ字の横棒部に該当する切り込み部に対し、所要のアール（曲線形状）を与えるものとしている。これにより、名刺大カードが係止される際に与えられる負荷によって上面部１upのカード係止部５からの破れが生じてしまうことの防止が図られる。
【００２７】
ここで、家庭紙収納箱１にティッシュペーパーＰを収納したティッシュペーパー製品を宣伝・広告用や企業の営業活動用などの粗品として利用する用途を想定した場合、上面部１upにおける上記情報掲示用スペースには、印刷などによる情報掲示を行うことも有効である。
しかしながら、情報掲示を印刷により行う場合は、ティッシュペーパー製品の使用用途・業者に応じて印刷内容を変更する必要があり、その分、製造コストが嵩むものとなってしまう。
【００２８】
そこで本実施の形態では、上記のようにしてカード係止部５を設けるものとし、該カード係止部５に係止する名刺大カードの差し替えによる掲示情報の変更が可能となるようにしている。
これによれば、当該家庭紙収納箱１にティッシュペーパーＰを収納したティッシュペーパー製品を利用する業者ごとに掲示情報が異なる場合にも、家庭紙収納箱１に対する印刷内容は少なくとも１種のみに統一することができ、その分、ティッシュペーパー製品の製造コストの削減化が図られ、それによって当該ティッシュペーパー製品を利用した宣伝費・営業費等の低コスト化を図ることができる。
このことは、ティッシュペーパー製品の製造業者側から見れば、ティッシュペーパー製品の普及の促進を図る上での大きなメリットとなり、従ってティッシュペーパー製品の売り上げ向上を図ることができる。
【００２９】
〜取出口の形状の工夫〜
上記のようにして本実施の形態では、上面部１upの片側面内において取出口６が形成されるようにしていることで、上面部１upのもう片方側の面に比較的広い情報掲示用スペースを確保できる。
但し、単に取出口６を片側面内に形成したのみでは、収納されたティッシュペーパーＰの取り出しが困難となる虞がある。
具体的に、この場合は取出口６が片面のみに形成されることになるので、ティッシュペーパーＰの取り出しにあたっては収納されたティッシュペーパーＰの主に上記情報掲示用スペースで隠れた部分を取出口６から引き出すことになるため、これに伴い、この場合のティッシュペーパＰの取り出し時には、取出口６における上面部１upの中心ｃに近い部分ほど多くの摩擦抵抗が生じることになる。
【００３０】
このことに対応し本実施の形態では、取出口６の形状に工夫を凝らすものとしている。具体的には、図３からも明らかなように、取出口６の幅を、上記中心ｃに近づくにつれて徐々に広げるようにしている。
このようにして取出口６の幅が中心ｃに近づくにつれて徐々に広くなるようにされていることで、ティッシュペーパーＰの取り出し時の摩擦抵抗を効果的に低減することができる。
【００３１】
〜ガイドフラップ〜
また、本実施の形態では、上記のようにして取出口６における上面部１upの中心ｃに近い部分ほど多くの摩擦抵抗が生じることを考慮して、ガイドフラップ３を設けるものとしている。
図３に示すように、上記ガイドフラップ３は、取出口６の幅が最も広がった部分においてその付け根部分（上面部１upとの連接部）が位置するようにして形成するものとしている。換言すれば、上記ガイドフラップ３は、取出口６の幅が最も広がった部分において、取出口６の中心側に凸となるようにして形成されるものである。
このガイドフラップ３は、当該ガイドフラップ３が上記付け根部分において折り曲げ自在となるようにして上面部１upに対して連接されている。
また本実施の形態の場合、ガイドフラップの形状は図のように円弧状としている。
【００３２】
ここで、図５は、内部に複数枚のティッシュペーパーＰが収納された家庭紙収納箱１の断面図により、ティッシュペーパーＰが取り出させる際の様子を示しているが、この図５に示されるようにガイドフラップ３は、上記のように上面部１upに対して折り曲げ自在に連接されていることで、ティッシュペーパーＰの取り出し時には、家庭紙収納箱１の外側方向に反り返るようにして折り曲げられる。そしてこれに伴い、図中の破線の丸で囲うような折り曲げ部分が形成されることになる。
【００３３】
仮に、ガイドフラップ３が設けられなければ、取出口６における上面部１upの中心ｃ側の縁部の形状は矩形状とされてしまう（カートンブランクは一般にカッティングにより形成されるため）。これは、取り出し時に最もティッシュペーパーＰに負荷が与えられる部分が矩形状となってしまうことを意味し、これに伴い、ティッシュペーパーＰの引っ掛かりや場合によっては破れを誘発するものとなって、結果としてティッシュペーパーＰの取り出し容易性を著しく低下させてしまう。
【００３４】
これに対し、上記のようなガイドフラップ３を設けて上記折り曲げ部分が形成されるようにすることによっては、取出口６における上面部１upの中心ｃ側の縁部（取り出し時に最もティッシュペーパーＰに負荷が与えられる部分）の形状を平滑にすることができる。
このことで、ティッシュペーパーＰの取り出し容易性の向上を図ることができる。
【００３５】
また本実施の形態では、ガイドフラップ３の形状を円弧状としているが、この点でもティッシュペーパーＰの取り出し容易性の向上が図られる。
つまり図５からも明らかなように、取り出し時にはガイドフラップ３の縁部にもティッシュペーパーＰが接触することになるので、ガイドフラップ３の形状は例えば矩形状とされる場合よりも円弧状とされる方が、よりティッシュペーパーＰの取り出し容易性を向上することができる。
【００３６】
また図３に示されるように、本実施の形態では、上記ガイドフラップ３の付け根部分に対して押しケイ３ａを形成して、ガイドフラップ３の付け根部分の断面厚がより薄くなるようにしている。
この押しケイ３ａの形成によって、ティッシュペーパーＰの取り出し時にガイドフラップ３がより容易に折り曲がるようにできると共に、ガイドフラップ３の折り曲げ部分がより平滑な形状となるように図ることができる。
ガイドフラップ３がより容易に折り曲がれば、ティッシュペーパーＰの取り出し時の抵抗を低減してこの点でもティッシュペーパーＰの取り出し容易性を向上できる。
またガイドフラップ３の折り曲げ部分がより平滑な形状となれば、ティッシュペーパーＰの取り出し容易性はさらに向上させることができる。
【００３７】
〜蓋部の接続についての工夫〜
また、本実施の形態では、ティッシュペーパーＰの取り出し容易性の向上のために、上面部１upに対する蓋部２の接続についても工夫を凝らすものとしている。
図６は、上面部１upにおける蓋部２とその周囲の構成を拡大して示している。
本実施の形態では、上面部１upに対する上記蓋部２の接続を上記蓋部２の全周にわたっては行うものとせず、中心ｃに近い部分に非接続部が与えられるようにして行うものとしている。
図中では、破線の丸で囲った部分が上面部１upと蓋部２との接続部分を表している。
具体的に、楕円形状の破線丸で囲った部分は、ミシン目を伴う比較的広範な接続部を表している。
また、真円形状の破線丸で囲った部分は、いわゆる刃止めにより極力小さな接続部を形成した部分を表している。注意すべきは、ガイドフラップ３と蓋部２との接続は、当該刃止めにより行われているという点である。
このようにして本実施の形態では、中心ｃに近い部分（つまり取り出し時により負荷が掛かる部分）において、蓋部２と上面部１upとの接続部が少なくなるように図られている。
【００３８】
なお、図示するように蓋部２における上記中心ｃ側の縁と対向する縁側においては、つめ差し４が形成されている。
つめ差し４は、その付け根部分が、蓋部２が剥離されて形成されることになる取出口６の幅が最も狭まった部分に位置するようにして上面部１upに形成（連接)されている。換言すれば、このつめ差し４は、取出口６の中心側に凸となるようにして上面部１upに対して形成されている。
本実施の形態の場合、当該つめ差し４としてもその形状が円弧状とされいる。このようなつめ差し４の円弧状の縁部が、蓋部２に対して上記刃止めにより接続されている。これにより、使用者はつめ差し４を押圧して当該つめ差し４と蓋部２との接続を容易に解除することができ、この接続解除した部分から蓋部２を摘んで当該蓋部２を上面部１upから容易に剥離することができる。
なお図示による説明は省略するが、つめ差し４の付け根部分はミシン目が入れられることで上面部１upから切除可能な状態とされている。つまり実際の使用時（ティッシュペーパーＰの取り出し時）においてつめ差し４は、使用者によって上面部１upから切除されていることになる。
【００３９】
ここで、蓋部２を剥離することによっては、次の図７に示されるように、蓋部２を接続していた部分において細かな刃部（いわゆるミシン刃）が形成されることになる。すなわち、取出口６の縁には細かな刃部が形成されてしまう。
このようにして形成された細かな刃部は、取り出し時におけるティッシュペーパーＰの破れを誘発する。このために本実施の形態では、上記のように中心ｃに近い部分に非接続部分が与えられるように蓋部２の接続を行うものとして、取出口６の特に中心ｃに近い部分の刃部の形成数が少なくなるようにしている。これにより、ティッシュペーパーＰの破れの発生を効果的に抑制することができ、その分、ティッシュペーパーＰの取り出し容易性を向上できる。
【００４０】
また本実施の形態では、ガイドフラップ３と蓋部２との接続を刃止めにより行っているが、このことで、取り出し時のティッシュペーパーＰの破れの発生はさらに抑制でき、ティッシュペーパーＰの取り出し容易性をさらに向上できる。
【００４１】
以上で説明してきたように、本実施の形態によれば、家庭紙収納箱１の上面において広範な情報掲示用スペースを確保しつつ、内部に収納されるティッシュペーパーＰなどの家庭紙の取り出し容易性を確保して家庭紙製品本来の機能が損われないようにすることができる。
この結果、家庭紙収納箱１を用いた家庭紙製品を例えば広告・宣伝や企業の営業活動などための粗品として用いるといった場合に対応して、人目に付き易い箱上面部に比較的広い情報掲示用スペースを確保しつつ、家庭紙製品本来の機能が損なわれないように家庭紙の取り出し容易性を確保した優れた家庭紙製品を実現することができる。
【００４２】
[変形例]
ここで、本発明はこれまでで説明した具体例に限定されるべきものではない。
例えばこれまでの説明では、カード係止部５により係止するカードが名刺大のカードとされる場合を例示したが、他のサイズによるカードを係止するように構成することもできる。
【００４３】
また、これまでの説明ではカード係止部５がカードの角部を係止するものとして、カード係止部５をＴ字状の切り込みで形成する場合を例示したが、カード係止部５としてはカードの係止が可能とされたものであればよく、その構成については特に限定されるべきものではない。
【００４４】
また、取出口６を片面側にオフセットさせたことで確保した情報掲示用スペースに対しては印刷による情報掲示を行っても良い点は言うまでもない。
【符号の説明】
【００４５】
１  家庭紙収納箱、
１up  上面部、
１lw  下面部、
１f-f,１b-f  差込用フラップ、
１sr  右側面部、
１sl  左側面部、
１f  前面部、
１b  後面部、
１sr-ff,１sr-fb,１sl-ff,１sl-fb,１lw-f  フラップ
２  蓋部、
３  ガイドフラップ
４  つめ差し
５ａ,５ｂ,５ｃ  カード係止部
６  取出口
Ｐ  ティッシュペーパー
【図１】
2010241463.tif 000003
【図２】
2010241463.tif 000004
【図３】
2010241463.tif 000005
【図４】
2010241463.tif 000006
【図５】
2010241463.tif 000007
【図６】
2010241463.tif 000008
【図７】
2010241463.tif 000009